(57)【要約】【課題】  ノズル付きポンプディスペンサーやスクイズ容器等の吐出ノズルに備えられるものであって、構造が簡単で、安価であり、且つ使用性が良好で、吐出口やノズル内における内容物の固化の防止効果が優れた口元固化防止治具の提供。【解決手段】  吐出ノズル２３の吐出口３１を直接又は間接的に覆うための蓋部４２と、吐出ノズル２３の外側または内側に取り付けられる取り付け部４５と、蓋部４２と取り付け部４５を接続する弾性復帰手段４８とを備え、蓋部４２には吐出口３１と連通可能な孔４３が形成され、上記ノズル内の吐出圧の変動により弾性復帰手段４８が伸縮するとともに蓋部４２が吐出口から近接離間可能な構成とされ、孔４３は蓋部４２の移動に伴って開閉される構成とされた口元固化防止治具４０。【選択図】  図１
2006008232.tif 000002
【特許請求の範囲】
【請求項１】
ポンプ又はスクイズによって内容物を吐出する吐出ノズル付き容器の吐出ノズルに装着される口元固化防止治具であって、
前記吐出ノズルの吐出口を直接又は間接的に覆うための蓋部と、前記吐出ノズルの外側または内側に取り付けられる取り付け部と、前記蓋部と前記取り付け部を接続する弾性復帰手段とを備え、
前記蓋部には前記吐出口と連通可能な孔が形成され、
前記ノズル内の吐出圧の変動により前記弾性復帰手段が伸縮するとともに前記蓋部が吐出口から近接離間可能な構成とされ、前記孔は前記蓋部の移動に伴って開閉される構成とされたことを特徴とする口元固化防止治具。
【請求項２】
前記弾性復帰手段はバネ部材から構成され、該バネ部材はバネ定数が０．０３ｋｇ以上０．３ｋｇ以下であることを特徴とする請求項１記載の口元固化防止治具。
【請求項３】
ポンプ又はスクイズによって内容物を吐出する吐出ノズル付き容器であって、
前記吐出ノズルに請求項１又は２に記載の口元固化防止治具が取り付けられたことを特徴とする口元固化防止治具付き容器。
【請求項４】
前記内容物は、２５℃における粘度が２００ｍＰａ・ｓ以上２０００ｍＰａ・ｓ以下である液体化粧料組成物又は液体洗浄剤組成物であることを特徴とする請求項３記載の口元固化防止治具付き容器。
【発明の詳細な説明】
【技術分野】
【０００１】
本発明は、ノズル付きポンプディスペンサー及びスクイズ容器等の容器において、吐出口における内容物の固化による吐出不良を防止する構造に関する。
【背景技術】
【０００２】
液体化粧料、各種液体洗剤、シャンプー、リンス、各種仕上液などの液剤などの内容物を吐出するためのノズル付きポンプディスペンサーやスクイズ容器が従来から多用されている。
これらの容器においては、ノズルから内容物を吐出した後に、ノズル先端の吐出口（口元と呼ぶこともある）やノズル内に残った内容物が乾燥、固化し、吐出口やノズル内に詰まり、次にポンピングやスクイズ等の操作をしたときに、通常吐出される方向に吐出されないなどの異常吐出が生じてしまうため、種々の固化防止構造が考案されている。
例えば、図１１は、ノズル１００の先端にヒンジ開閉式蓋１０１を設けた蓋式である。図１２は、ノズルヘッド２０２を上下させることによりこのヘッド２０２に設けられた蓋体２０１がノズル２００の吐出口を開閉できるようにした簡易開閉式である。図１３は、ノズル３００内にポリプロピレン樹脂製バルブ３０１を設けたバルブ内蔵式である。図１４は、ノズル４００の吐出口に、内容物の吐出圧を受けることによりスリット間隔が広がる樹脂製キャップ４０１が設けられた自閉式である（例えば、特許文献１〜３参照）。
【特許文献１】実開平５−５４３０８号公報
【特許文献２】実用新案登録第２５８９９３４号公報
【特許文献３】実用新案登録第２５７２９５１号公報
【発明の開示】
【発明が解決しようとする課題】
【０００３】
しかしながら、図１１の蓋式では、比較的安価で、外気遮断効果が高いが、使用する度に蓋１０１を開閉する操作が必要なため使い勝手が悪く、使用性に劣る。
図１２の簡易開閉式では、使用性が良好であるが、外気遮断効果が低いため、吐出口やノズル内に内容物の固化が生じてしまう。
図１３のバルブ内蔵式では、外気遮断効果と使用性に優れるが、構造が複雑であり、コスト高になってしまう。図１４の自閉式では、比較的安価で、使い勝手は良好であるが、外気遮断効果が不充分であった。
従って、構造が簡単で、安価であり、且つ使用性が良好で、しかも吐出口やノズル内に残留した内容物の固化の防止効果が優れることの全てを満足できる口元固化防止構造はなかった。
【０００４】
本発明は上記事情に鑑みてなされたもので、ノズル付きポンプディスペンサーやスクイズ容器等の吐出ノズルに備えられるものであって、構造が簡単で、安価であり、且つ使用性が良好で、吐出口やノズル内における内容物の固化の防止効果が優れた口元固化防止治具を提供することを目的の一つとする。
また、本発明は、上記のような口元固化防止治具が吐出ノズルに備えられた口元固化防止治具付き容器を提供することを目的の一つとする。
【課題を解決するための手段】
【０００５】
上記目的を達成するために、本発明は以下の構成を採用した。
本発明の口元固化防止治具は、ポンプ又はスクイズによって内容物を吐出する吐出ノズル付き容器の吐出ノズルに装着される口元固化防止治具であって、
前記吐出ノズルの吐出口を直接又は間接的に覆うための蓋部と、前記吐出ノズルの外側または内側に取り付けられる取り付け部と、前記蓋部と前記取り付け部を接続する弾性復帰手段とを備え、
前記蓋部には前記吐出口と連通可能な孔が形成され、
前記ノズル内の吐出圧の変動により前記弾性復帰手段が伸縮するとともに前記蓋部が吐出口から近接離間可能な構成とされ、前記孔は前記蓋部の移動に伴って開閉される構成とされたことを特徴とする。
【０００６】
上記構成の本発明の口元固化防止治具において、上記弾性復帰手段はバネ部材から構成され、該バネ部材はバネ定数が０．０３ｋｇ以上０．３ｋｇ以下とされることが好ましい。
また、上記のいずれかの構成の本発明の口元固化防止治具において、前記蓋部に形成された孔の内壁面のうち少なくとも一方の側は、前方に傾斜する傾斜面とされていることが好ましい。
【０００７】
本発明の口元固化防止治具付き容器は、ポンプ又はスクイズによって内容物を吐出する吐出ノズル付き容器であって、
前記吐出ノズルに上記のいずれかの構成の本発明の口元固化防止治具が取り付けられたことを特徴とする。
上記構成の本発明の口元固化防止治具付き容器において、前記内容物は、２５℃における粘度が２００ｍＰａ・ｓ以上２０００ｍＰａ・ｓ以下である液体化粧料組成物又は液体洗浄剤組成物であることを特徴とする。
【発明の効果】
【０００８】
本発明の口元固化防止治具は、構造が簡単で、安価であり、且つ使用性が良好で、吐出口やノズル内における内容物の固化の防止効果が優れる。
本発明の口元固化防止治具付き容器によれば、上記のような本発明の口元固化防止治具が吐出ノズル付き容器に備えられたことにより、安価であり、且つ使い勝手を良好とすることができる。
【発明を実施するための最良の形態】
【０００９】
以下に本発明の一実施形態を図面を用いて説明する。
（第一の実施形態）
本発明の第一の実施形態の口元固化防止治具付き容器を図１に示す。
図１は、本実施形態の口元固化防止治具付き容器を示す概略構成図であり、スクイズやポンピング前の状態を示している。図２は、図１の口元固化防止治具付き容器をスクイズやポンピングしたとき口元固化防止治具の状態を示す断面図である。
図１において、本実施形態の容器は概略、容器本体１０と、この容器本体１０頂部に螺合された肩カバー２１に形成された頂部開口を貫通して設けられた吐出ヘッド２０と、吐出ヘッド２０に取り付けられた口元固化防止治具４０を有し、スクイズ又はポンピングすることにより容器本体内に充填された内容液（内容物）を吐出ヘッド２０に形成された管状の吐出ノズル２３の先端の吐出口３１から吐出する容器である。
【００１０】
なお、本実施形態の容器がスクイズにより内容液を吐出できるようになっている場合、容器本体１０の胴部を押圧することにより、容器本体１０内の圧力があがって内容物が吐出ノズル内を通って吐出口３１から吐出され、内容物がある程度吐出された後、吐出圧力がさがり、内容物の吐出されない状態となるものである。
また、本実施形態の容器がポンピングにより内容液を吐出できるようになっている場合、吐出ヘッド２０は上下に往復運動可能な構成とされ、この吐出ヘッド２０を指で押し下げることにより、ポンプが内容物を吸い上げて、吐出ノズル内を通って吐出口３１から吐出され、内容物がある程度吐出された後、ポンプの吐出圧力がさがり、内容物の吐出されない状態となるものである。
【００１１】
吐出ノズル２３の外側に、口元固化防止治具４０が取り付けられている。
口元固化防止治具４０は、吐出ノズル２３の吐出口３１を覆うための蓋部４２と、吐出ノズル２３の外側に嵌められるリング状の取り付け部４５と、蓋部４２と取り付け部４５を接続する弾性復帰手段４８とから構成されている。
蓋部４２は、縦断面略コ字状のものである。この蓋部４２の周壁の下部部分には吐出口３１と連通可能な孔４３が形成されている。この蓋部４２は吐出ノズル２３の先端に吐出口３１を覆うように嵌められている。
取り付け部４５には凹状の係止部４６が形成されており、取り付け部４５を吐出ノズル２３に嵌めると、吐出ノズル２３の外周壁に形成された凸状の被係止部４７が上記係止部４６に係止められるようになっている。
【００１２】
弾性復帰手段４８は、蓋部４２と弾性復帰手段４８の間の吐出ノズル２３の外側に設けられ、蓋部４２と弾性復帰手段４８とを接続している。
弾性復帰手段４８はプラスチックやエラストマーなどからなるバネ部材から構成されている。蓋部４２と取り付け部４５の材質は、弾性復帰手段４８と異なる材質であってもよいが、同じ材質であれば、蓋部４２と弾性復帰手段４８と取り付け部４５を一体成形できる点で好ましい。
上記バネ部材はバネ定数が０．０３ｋｇ以上０．３ｋｇ以下とされることが好ましい。
上記バネ部材のバネ定数が０．０３ｋｇ未満であると、バネ定数が低すぎて内容物の吐出後、蓋部４２を吐出口３１の方に引き戻す力が不足し、液切れが悪く、内容物が固化につながる恐れがあり、０．３ｋｇを越えるとバネ定数が高すぎて、内容物を吐出させるための吐出圧（押圧力）が上昇して使いづらくなってしまう。
【００１３】
容器本体１０内に収容される内容物は、美容液などの液体化粧料、各種液体洗剤、シャンプー、リンス、各種仕上液などの液剤などであり、特に、２５℃における粘度が２００ｍＰａ・ｓ以上２０００ｍＰａ・ｓ以下である液体化粧料組成物又は液体洗浄剤組成物であることが、本実施形態の口元固化防止治具付き容器の効果を顕著に奏することができる点で好ましい。
【００１４】
上記のような構成の口元固化防止治具４０では、吐出ノズル内の吐出圧が上がり、この圧力に弾性復帰手段４８が負けると図２に示すようにこの弾性復帰手段４８が伸びるとともに蓋部４２が吐出口３１から離れるように移動するようになっており、上記吐出圧力が下がる（上記吐出圧力が落ち着く）と、弾性復帰手段４８は縮んで元の状態に戻ることにより図１に示すように蓋部４２が吐出口３１を直接閉塞するようにように移動するようになっている。また、蓋部４２に形成された孔４３は、蓋部４２が吐出口３１からある程度離れると、図２に示すように開放され、吐出口３１及び外部と連通し、蓋部４２が元の位置に戻って吐出口３１を覆うと、図１に示すようにノズルの壁面によって閉塞されるようになっている。
【００１５】
本実施形態の容器は、上記構成の口元固化防止治具４０が吐出ノズル２３に取り付けられたことにより、スクイズやポンピング等により吐出圧力が上がって内容物が吐出ノズルの先端まで上がり、内容物の吐出圧に弾性復帰手段４８が負けると、図２に示すようにこの弾性復帰手段４８が伸びて蓋部４２が吐出口３１から離れる方向（前方）に移動し、孔４３が開放され、この孔４３から上記内容物が吐出される。
内容物がある程度吐出されて、吐出圧力が落ち着く（下がる）と、図１に示すように弾性復帰手段４８縮んで元の状態に戻り、これとともに蓋部４２も元の状態に戻って吐出口３１を閉塞し、上記の孔４３も閉塞される。このようにすると液切れが良く、しかも、吐出しないとき（使用しないとき）はノズル内が開放されていないので、吐出口や吐出ノズル内に内容物が多少残っていても、内容物が乾燥しにくく、すなわち、内容物が固化し難くなり、固化に起因する異常吐出の問題を改善できる。
【００１６】
本実施形態の口元固化防止治具４０は、上記構成としたことにより、構造が簡単で、安価であり、且つ使用性が良好で、吐出口やノズル内における内容物の固化の防止効果が優れる。
また、本実施形態の口元固化防止治具付き容器によれば、本実施形態の口元固化防止治具４０が吐出ノズル付き容器に備えられたことにより、安価であり、且つ使い勝手が良好である。
【００１７】
なお、上記の実施形態の口元固化防止治具４０においては、蓋部４２に形成された孔４３の内壁面は、垂直面である場合について説明したが、図３に示すように孔４３の内壁面のうち少なくとも前方側（吐出口側と反対側）は、前方に傾斜する傾斜面４３ａとされていることが内容物を孔４３の真下に吐出できる点で好ましく、さらに好ましくは図４に示すように図３に示すように孔４３の内壁面の全面にわたって前方に傾斜する傾斜面４３ａとされていることが望ましい。傾斜面４３ａの傾斜角度θは垂直面に対して０度より大きく６０度以下の範囲で傾いていることが好ましい。
【００１８】
また、上記の実施形態の口元固化防止治具４０においては、弾性復帰手段４８が蓋部４２及び取り付け部４５と一体成形された場合について説明したが、図５に示すように弾性復帰手段４９が蓋部４２や取り付け部４５とは別に成形された別パーツタイプであってもよい。この弾性復帰手段４９は、金属又はプラスチックコイルスプリングからなるバネ部材から構成されている。なお、図５は、弾性復帰手段４９を有する口元固化防止治具４０が備えられた本実施形態の容器をスクイズやポンピングしたときの口元固化防止治具の状態を示す断面図である。
【００１９】
（第二の実施形態）
第二の実施形態の口元固化防止治具付き容器について説明する。
図６は、本実施形態の口元固化防止治具付き容器の吐出ノズルの先端部と、この吐出ノズルに取り付けられた口元固化防止治具を示す断面図である。
本実施形態の口元固化防止治具付き容器が、図１乃至図２に示した第一の実施形態の口元固化防止治具付き容器と異なるところは、口元固化防止治具の構造が異なる点である。
本実施形態の口元固化防止治具５０は、吐出ノズル２３の先端部の外側に嵌められる管状の取り付け部５５と、取り付け部５５の先端部の外側に嵌められる蓋部５２と、蓋部５２と取り付け部５５を接続する弾性復帰手段４９とから構成されている。
取り付け部５５の先端側と反対側には、拡径部５５ａが形成されており、この拡径部５５ａが吐出ノズル２３の先端部に嵌められている。
【００２０】
この口元固化防止治具５０が第一の実施形態の口元固化防止治具４０と特に異なるところは、蓋部５２が取り付け部５５に取り付けられており、また、蓋部５２は取り付け部５５を介して（間接的に）吐出口３１を覆うことができるようになっている点である。また、口元固化防止治具５０は、管状の取り付け部５５を吐出ノズル２３の先端部に嵌めたり、先端部から外すことでノズル２３に対する着脱が容易になっている。
この蓋部５２の周壁の下部部分には吐出口３１と連通可能な孔５３が形成されている。
孔５３の内壁面のうち前方側（吐出口側と反対側）は、前方に傾斜する傾斜面５３ａが形成されている。
【００２１】
本実施形態の容器は、上記構成の口元固化防止治具５０が吐出ノズル２３に取り付けられたことにより、スクイズやポンピング等により吐出圧力が上がって内容物が吐出ノズルの先端まで上がり、内容物の吐出圧に弾性復帰手段４９が負けると、この弾性復帰手段４９が伸びて蓋部５２が取り付け部５５から離れる方向（前方）に移動し、孔５３が開放され、この孔５３から上記内容物が吐出される。
内容物がある程度吐出されて、吐出圧力が落ち着く（下がる）と、弾性復帰手段４９が縮んで元の状態に戻り、これとともに蓋部５２も元の状態に戻って取り付け部５５の先端開口を閉塞し、上記の孔５３は取り付け部５５の壁面によって閉塞される。このようにすると液切れが良く、しかも、吐出しないとき（使用しないとき）はノズル内が開放されていないので、吐出口や吐出ノズル内に内容物が多少残っていても、内容物が乾燥しにくく、すなわち、内容物が固化し難くなり、固化に起因する異常吐出の問題を改善できる。
【００２２】
（第三の実施形態）
第三の実施形態の口元固化防止治具付き容器について説明する。
図７は、本実施形態の口元固化防止治具付き容器の吐出ノズルの先端部と、この吐出ノズルに取り付けられた口元固化防止治具を示す断面図である。
本実施形態の口元固化防止治具６０は、吐出ノズル２３の先端部の外側に嵌められる管状の取り付け部６５と、取り付け部６５の内側に設けられた長尺の蓋部６２と、蓋部６２と取り付け部６５の間に設けられてこれら蓋部６２と取り付け部６５を接続する弾性復帰手段４９とから構成されている。
取り付け部６５は、吐出ノズル２３の先端部に嵌められる管状部６５ａと、この管状部６５ａの先端側（ノズル側と反対側）に設けられたリング状部６５ｂから構成されている。管状部６５ａの先端側と反対側には、縮径部６５ｆが形成されており、この縮径部６５ｆが吐出ノズル２３の先端部に嵌められている。リング状部６５ｂのノズル側には、縮径部６５ｄが形成されており、この縮径部６５ｄが管状部６５ａの先端内側に嵌められている。
リング状部６５ｂの孔６５ｃ内には蓋部６２の先端部が位置し、孔６５ｃ内を蓋部６２が通過できるようになっている。なお、孔６５ｃと蓋部６２との隙間は、ノズル内に空気の進入を防止するためにできるだけ狭い方が好ましい。
蓋部６２の先端部周壁の下部部分には吐出口３１と連通可能な孔６３が形成されている。
【００２３】
この口元固化防止治具６０が第二の実施形態の口元固化防止治具５０と特に異なるところは、蓋部６２が取り付け部６５の内側に設けられ、さらにこの蓋部６２の外周壁と取り付け部６５の間に弾性復帰手段４９が設けられており、詳しくは、蓋部６２の外周壁に設けられた弾性復帰手段４９は一端部が蓋部のフランジ部６２ａに接続され、他端部がリング状部６５ｂの縮径部６５ｄに接続されている。
【００２４】
本実施形態の容器は、上記構成の口元固化防止治具６０が吐出ノズル２３に取り付けられたことにより、スクイズやポンピング等により吐出圧力が上がって内容物が吐出ノズルの先端まで上がり、内容物の吐出圧により弾性復帰手段４９が元の状態より縮んで蓋部６２が吐出口３１から離れる方向（前方）に移動してこの蓋部６２の先端がリング状部６５ｂの孔内から前方に移動して取り付け部６５より突出し、孔６３が開放され、この孔６３から上記内容物が吐出される。
内容物がある程度吐出されて、吐出圧力が落ち着く（下がる）と、弾性復帰手段４９が元の状態に戻り、これとともに蓋部６２も元の状態に戻って取り付け部６５内に戻り、上記の孔６３はリング状部６５ｂの壁面によって閉塞される。このようにすると液切れが良く、しかも、吐出しないとき（使用しないとき）はノズル内が開放されていないので、吐出口や吐出ノズル内に内容物が多少残っていても、内容物が乾燥しにくく、すなわち、内容物が固化し難くなり、固化に起因する異常吐出の問題を改善できる。
【００２５】
（第四の実施形態）
第四の実施形態の口元固化防止治具付き容器について説明する。
図８は、本実施形態の口元固化防止治具付き容器の吐出ノズルの先端部と、この吐出ノズルに取り付けられた口元固化防止治具を示す断面図である。
本実施形態の口元固化防止治具６０ａが、第三の実施形態の口元固化防止治具６０と異なるところは、取り付け部の構成が異なる点である。
本実施形態の取り付け部６６は、吐出ノズル２３の先端部に嵌められる管状部６５ａと、この管状部６５ａの先端側（ノズル側と反対側）に設けられた縦断面略コ字状の第２の蓋部６５ｇから構成されている。第２の蓋部６５ｇのノズル側には、縮径部６５ｄが形成されており、この縮径部６５ｄが管状部６５ａの先端内側に嵌められている。
第２の蓋部６５ｇ内には蓋部６２の先端部が位置し、第２の蓋部６５ｇ内を蓋部６２が移動できるようになっている。
第２の蓋部６５ｇの周壁の下部部分には蓋部６２の孔６３と連通可能な孔６７が形成されている。
【００２６】
本実施形態の容器は、上記構成の口元固化防止治具６０ａが吐出ノズル２３に取り付けられたことにより、スクイズやポンピング等により吐出圧力が上がって内容物が吐出ノズルの先端まで上がり、内容物の吐出圧により弾性復帰手段４９が元の状態より縮んで蓋部６２が吐出口３１から離れる方向（前方）に移動してこの蓋部６２の先端が第２の蓋部６５ｇ内で前方に移動し、孔６３が孔６７と連通すると、これら孔６３が開放され、これら孔６３、６７から上記内容物が吐出される。
内容物がある程度吐出されて、吐出圧力が落ち着く（下がる）と、弾性復帰手段４９が元の状態に戻り、これとともに蓋部６２が吐出口３１に近づく方向に移動しても元の状態に戻り、上記の孔６３は第２の蓋部６５ｇの壁面によって閉塞される。このようにすると液切れが良く、しかも、吐出しないとき（使用しないとき）はノズル内が開放されていないので、吐出口や吐出ノズル内に内容物が多少残っていても、内容物が乾燥しにくく、すなわち、内容物が固化し難くなり、固化に起因する異常吐出の問題を改善できる。
【００２７】
（第五の実施形態）
第五の実施形態の口元固化防止治具付き容器について説明する。
図９は、本実施形態の口元固化防止治具付き容器の吐出ノズルの先端部と、この吐出ノズルに取り付けられた口元固化防止治具を示す断面図である。
本実施形態の口元固化防止治具７０は、吐出ノズル２３の先端部の外側に嵌められる管状の取り付け部７５と、取り付け部７５の内側に設けられた長尺の蓋部７２と、蓋部７２と取り付け部７５の間に設けられてこれら蓋部７２と取り付け部７５を接続する弾性復帰手段４９とから構成されている。
取り付け部７５は、吐出ノズル２３の先端部に嵌められる第１の管状部７５ａと、この第１の管状部７５ａの先端側（ノズル側と反対側）に設けられた第２の管状部７５ｃと、この第２の管状部７５ｃの先端側（ノズル側と反対側）に設けられたリング状部７５ｂから構成されている。第１の管状部７５ａの外周壁の中央部には、フランジ部７５ｆが形成されており、このフランジ部７５ｆの位置まで第２の管状部７５ｃが嵌められている。
管状部６５ａの先端側と反対側には、縮径部６５ｆが形成されており、この縮径部６５ｆが吐出ノズル２３の先端部に嵌められている。リング状部７５ｂのノズル側には、凹部（拡径部）７５ｄが形成されており、この凹部７５ｄに第２の管状部６５ｃの先端部が嵌められている。
【００２８】
蓋部７２は、筒状部７２ａと、この筒状部７２の先端側の開口を閉塞する板部７２から構成されている。筒状部７２ａは、先端側の縮径部７２ｃとノズル側の拡径部７２ｄから構成されている。
リング状部７５ｂの孔７５ｃ内には蓋部７２の縮径部７２ｃの先端部が位置し、孔７５ｃ内を縮径部７２ｃの先端部が通過できるようになっている。なお、孔７５ｃと蓋部７２との隙間は、ノズル内に空気の進入を防止するためにできるだけ狭い方が好ましい。
蓋部７２の縮径部７２ｃの先端部周壁の下部部分には吐出口３１と連通可能な孔７３が形成されている。
【００２９】
蓋部７２の縮径部７２ｃの外周壁と取り付け部７５の第２の管状部７５ｃの間に弾性復帰手段４９が設けられており、詳しくは、縮径部７２ｃの外周壁に設けられた弾性復帰手段４９は一端部が蓋部の拡径部７５ｃに接続され、他端部がリング状部７５ｂの凹部７５ｄに接続されている。
【００３０】
本実施形態の容器は、上記構成の口元固化防止治具７０が吐出ノズル２３に取り付けられたことにより、スクイズやポンピング等により吐出圧力が上がって内容物が吐出ノズルの先端まで上がり、内容物の吐出圧により弾性復帰手段４９が元の状態より縮んで蓋部７２が吐出口３１から離れる方向（前方）に移動してこの縮径部７２ｃの先端部がリング状部７５ｂの孔内から前方に移動して取り付け部７５より突出し、孔７３が開放され、この孔７３から上記内容物が吐出される。
内容物がある程度吐出されて、吐出圧力が落ち着く（下がる）と、弾性復帰手段４９が元の状態に戻り、これとともに蓋部７２も元の状態に戻って縮径部７２ｃが取り付け部７５内に戻り、上記の孔７３はリング状部７５ｂの壁面によって閉塞される。このようにすると液切れが良く、しかも、吐出しないとき（使用しないとき）はノズル内が開放されていないので、吐出口や吐出ノズル内に内容物が多少残っていても、内容物が乾燥しにくく、すなわち、内容物が固化し難くなり、固化に起因する異常吐出の問題を改善できる。
【００３１】
（第六の実施形態）
第六の実施形態の口元固化防止治具付き容器について説明する。
図１０は、本実施形態の口元固化防止治具付き容器の吐出ノズルの先端部と、この吐出ノズルに取り付けられた口元固化防止治具を示す断面図である。
本実施形態の口元固化防止治具８０が、第一乃至第五の実施形態の口元固化防止治具と異なるところは、吐出ノズル２３内に装着される内付けタイプである点である。
また、本実施形態の容器は、内付けタイプの口元固化防止治具８０が備えれるため、吐出ノズル２３の先端部に内径が広くされた装着部２３ａが形成されている。
本実施形態の口元固化防止治具８０は、吐出ノズル２３の先端部に嵌められるリング状の取り付け部８５と、装着部２３ａ内に設けられた長尺の蓋部８２と、蓋部８２と装着部２３ａとの間に設けられてこれら蓋部８２と取り付け部８５を接続する弾性復帰手段４９とから構成されている。
取り付け部８５のノズル側には、縮径部８５ｄが形成されており、この縮径部８５ｄが吐出ノズル２３の先端内側に嵌められている。
取り付け部８５の孔８５ｃ内には蓋部８２の先端部が位置し、孔８５ｃ内を蓋部８２が通過できるようになっている。なお、孔８５ｃと蓋部８２との隙間は、ノズル内に空気の進入を防止するためにできるだけ狭い方が好ましい。
蓋部８２の先端部周壁の下部部分には吐出口３１と連通可能な孔８３が形成されている。
弾性復帰手段４９は蓋部８２の外周壁と装着部８５の間に設けられており、詳しくは、蓋部８２の外周壁に設けられた弾性復帰手段４９は一端部が蓋部のフランジ部８２ａに接続され、他端部が取り付け部８５の縮径部８５ｄに接続されている。
【００３２】
本実施形態の容器は、上記構成の口元固化防止治具８０が吐出ノズル２３先端に内付けられたことにより、スクイズやポンピング等により吐出圧力が上がって内容物が吐出ノズルの先端まで上がり、内容物の吐出圧により弾性復帰手段４９が元の状態より縮んで蓋部８２の先端が取り付け部８５の孔内から前方に移動して取り付け部６５より突出し、孔８３が開放され、この孔８３から上記内容物が吐出される。
内容物がある程度吐出されて、吐出圧力が落ち着く（下がる）と、弾性復帰手段４９が元の状態に戻り、これとともに蓋部８２も元の状態に戻って取り付け部８５内に戻り、上記の孔８３は取り付け部８５の壁面によって閉塞される。このようにすると液切れが良く、しかも、吐出しないとき（使用しないとき）はノズル内が開放されていないので、吐出口や吐出ノズル内に内容物が多少残っていても、内容物が乾燥しにくく、すなわち、内容物が固化し難くなり、固化に起因する異常吐出の問題を改善できる。
【００３３】
以下、実施例を示し、本発明をより具体的に説明するが、本発明は、下記実施例に限定されるものではない。
（実験例１）
弾性復帰手段を構成するバネ部材のバネ定数を表１に示す範囲で変更した以外は図１に示すような口元固化防止治具付き容器を作製した。
作製した口元固化防止治具付き容器に備えられた弾性復帰手段のバネ定数と吐出性能につて調べた結果を表１に合わせて示す。
吐出性能については、容器本体内に充填する内容物が粘度が２００ｍＰａ・ｓのハンドソープ（液体石鹸）と、粘度２０００ｍＰａ・ｓのシャンプーのそれぞれの場合について調べた。表１中、○は押圧力も適度で、蓋部の戻りも良好であることを示し、△は押圧力又は蓋部の戻りのどちらかにやや不具合があることを示し、×は押圧力又は蓋部の戻りのどちらかに不具合があることを示す。
【００３４】
【表１】
2006008232.tif 000003
【００３５】
表１に示す結果から、上記バネ部材のバネ定数が０．０２ｋｇであると、粘度２００ｍＰａ・ｓのハンドソープの粘度２０００ｍＰａ・ｓのシャンプーのいずれにおいても吐出性能が不良で、また、バネ定数が低すぎるために内容物の吐出後、蓋部を吐出口の方に引き戻す力が不足し、液切れが悪く、内容物が固化した。
上記バネ部材のバネ定数が０．４ｋｇであると、粘度２００ｍＰａ・ｓのハンドソープの粘度２０００ｍＰａ・ｓのシャンプーのいずれにおいても吐出性能が不良で、また、バネ定数が高すぎるために内容物を吐出させるための吐出圧（押圧力）が上昇して使いづらかった。
これに対して上記バネ部材のバネ定数が０．０３ｋｇ以上０．３ｋｇ以下であると、粘度２０００ｍＰａ・ｓのシャンプーでは吐出後蓋部を引き戻す力がやや不足するもものの、吐出性能が良好であり、内容物の固化防止効果があり、粘度２００ｍＰａ・ｓのハンドソープでは吐出性能が優れており、内容物の固化防止効果があることを確認した。また、特に、上記バネ部材のバネ定数が０．０５ｋｇ以上０．３ｋｇ以下であると、粘度２００ｍＰａ・ｓのハンドソープと粘度２０００ｍＰａ・ｓのシャンプーのいずれにおいても吐出性能が優れており、内容物の固化防止効果があることを確認した。
【００３６】
（実験例２）
蓋部４２の孔４３に形成する傾斜面の傾斜角度θを表２に示す範囲で変更した以外は図１に示すような口元固化防止治具付き容器を作製した。ただし、傾斜角度θをつけた場合（θ＝０以外の場合）の蓋部４２は、図３又は図４に示すようなタイプであった。また、吐出口
作製した口元固化防止治具付き容器に備えられた蓋部４２の孔４３に形成する傾斜面４３ａの傾斜角度θと孔４３から内容物（粘度２００ｍＰａ・ｓ〜粘度２０００ｍＰａ・ｓ）が実際に吐出される方向（実際の角度）について調べた結果を表２に合わせて示す。
内容物が吐出される方向は、孔の真下方向（垂直方向）を０度とし、前方側を＋方向、容器本体側が−方向とした。
【００３７】
【表２】
2006008232.tif 000004
【００３８】
表２に示す結果から孔４３内に傾斜面を形成しない場合（θ＝０度）は、孔４３から吐出される内容物の吐出方向が容器本体側であったが、θ＝６０とした場合は斜め前方方向に吐出でき、θ＝１５とした場合は孔の真下方向（垂直方向）に吐出できることがわかった。
【００３９】
（実施例１）
精製水とエタノールの混合溶液中にシリコーンエマルションを除く各成分を混合溶解した後、シリコーンエマルションを添加、混合し、下記組成のヘアジェルを得た。このヘアジェルの粘度は約２０００ｍＰａ・ｓであった。
蓋部４２に形成された孔４３が図３に示すような形状である以外は図１に示すような第一の実施形態と同様の口元固化防止治具付き容器を用い、この容器本体内に上記ヘアジェルを充填した。
（ヘアジェル組成）
没食子酸−３，５−ジグルコシド                                  １．０％
ヒドロキシエチルセルロース                                      ０．５％
シリコーンエマルション（ＦＺ−４１８８日本ユニカー社製）        ２．０％
Ｎ−メタクリロイルオキシエチルＮ，Ｎ−ジメチルアンモニウム
−α−Ｎ−メチルカルボキシベタイン・メタクリル酸アルキル
エステル共重合体                                           ０．５％
プロピレングリコール                                            ４．０％
モノイソステアリン酸ポリオキシエチレン（４０）硬化ヒマシ油      ２．０％
塩化ステアリルトリメチルアンモニウム                         ０．３％
ジヒドロキシベンゾフェノン                                       ０．１％
メチルパラベン                                                   ０．１％
トリエタノールアミン                                             ０．５％
香料                                                             ０．２％
エタノール                                                     ２０．０％
精製水                                                          残部
計                                                             １００．０％
【００４０】
（実施例２）
蓋部４２に形成された孔４３が図３に示すような形状である以外は図１に示すような第一の実施形態と同様の口元固化防止治具付き容器を用い、この容器本体内に下記組成の乳液を充填した。この乳液の粘度は約１５００ｍＰａ・ｓであった。
（乳液組成）
モンモリロナイト                                                    １．０ ％
トリイソステアリン酸デカグリセリル                                  ０．５％
モノステアリン酸デカグリセリル                                      １．６％
モノオレイン酸ポリオキシエチレンソルビタン（２０Ｅ．Ｏ．）          ３％  
グリチルレチン酸ステアリル                                          ０．２％
メチルポリシロキサン                                                ０．５％
植物性スクワラン                                                   ５％
ホホバ油                                                           ３％
アルモンド油                                                       ０．５％
マカデミアナッツ油                                                 ０．５％
ヒマワリ油                                                         ０．５％
レシチン                                                           ０．８％
ベヘニルアルコール                                                 １％ 
ステアリルアルコール                                                １％
ジプロピレングリコール                                              ５％ 
トリメチルグリシン                                                 ０．５％
カルボキシビニルポリマー                                           ０．１％
キサンタンガム                                                     ０．１％
パラオキシ安息香酸プロピル                                         ０．１％
パラオキシ安息香酸メチル                                           ０．３％
酢酸トコフェロール                                                  ０．２ ％
エタノール                                                        ２％ 
香料                                                               ０．１％
精製水                                                               残部
計                                                                  １００．０％
【００４１】
（実施例３）
蓋部４２に形成された孔４３が図３に示すような形状である以外は図１に示すような第一の実施形態と同様の口元固化防止治具付き容器を用い、この容器本体内に下記組成のハンドソープを充填した。このハンドソープの粘度は約２００ｍＰａ・ｓであった。
（ハンドソープ組成）
ラウリン酸カリウム                                                     ６％
ミリスチン酸カリウム                                                   ４％
ＮラウロイルＮメチルβアラニンカリウム                                 １％
グリセリン                                                             ５％
プロピレングリコール                                                   ６％
ソルビトール                                                           ３％
ラウリルジメチルアミンオキサイド                                       １％
メタクリル酸アルキル重合体エマルション
（レオアールＭＳ−２００、ライオン化学株式会社）                         ５％
ヒドロキシエタンジホスホン酸                                       ０．１％
エデト酸四ナトリウム四水塩                                         ０．２％
トリクロサン                                                       ０．１％
イソプロピルメチルフェノール                                       ０．１％
水酸化カリウム                                                    ｐＨ１０に調整
香料                                                                   １％
精製水                                                                 残部
計                                                                  １００．０％
【００４２】
（実施例４）
蓋部４２に形成された孔４３が図３に示すような形状である以外は図１に示すような第一の実施形態と同様の口元固化防止治具付き容器を用い、この容器本体内に下記組成のボディソープを充填した。このボディソープの粘度は約８００ｍＰａ・ｓであった。
（ボディソープ組成）
ラウリン酸カリウム                                                       ６％
ミリスチン酸カリウム                                                   １２％
ＮラウロイルＮメチルβアラニンカリウム                                   ２％
ヤシ油脂肪酸ジエタノールアミド                                           ３％
ラウリルジメチルアミンオキサイド                                         １％
ラウリルジメチルアミノ酢酸ベタイン                                       １％
プロピレングリコール                                                   １０％
ヒドロキシプロピルメチルセルロース
（メトロースＨＰＭＣ６０ＳＨ−４０００、信越化学工業株式会社）        ０．８％
ジステアリン酸エチレングリコール                                         １％
塩化０−［２−ヒドロキシ−３−（トリメチルアンモニウム）
プロピル］ヒドロキシエチルセルロース
（レオガードＧＰ、ライオン化学株式会社）                            ０．１％
ポリスチレン重合体エマルジョン
（サイビノールＰＥ−３、サイデン化学株式会社）                           １％
エデト酸四ナトリウム四水塩                                           ０．１％
香料                                                                     １％
青色１号                                                        ０．００１％
黄色４号                                                        ０．００３％
水酸化カリウム                                                ｐＨ１０に調整
精製水                                                                 残部
計                                                                １００．０％
【００４３】
（実施例５）
蓋部４２に形成された孔４３が図３に示すような形状である以外は図１に示すような第一の実施形態と同様の口元固化防止治具付き容器を用い、この容器本体内に下記組成のシャンプーを充填した。このシャンプーの粘度は約５００ｍＰａ・ｓであった。
（シャンプー組成）
ＰＯＥ（３）ラウリルエーテル硫酸ナトリウム              １５％
α−オレフィンスルホン酸ナトリウム                      ５％
ラウリン酸アミドプロピルベタイン                        ５％
ラウリルジメチルアミンオキシド                          ２％
ＰＯＥ（２０）硬化ヒマシ油                              ４％
ラウリン酸ジエタノールアミド                            ５％
ジステアリン酸エチレングリコール                        ２％
ポリジメチルシロキサン                                  ３％
塩化０−［２−ヒドロキシ−３−（トリメチルアンモニウム）
プロピル］ヒドロキシエチルセルロース
（レオガードＧＰ、ライオン化学株式会社）                ０．５％
ピロクトン  オラミン                                   ０．５％
塩化ベンザルコニウム                                   ０．１％
エタノール                                             １％
ヘキシレングリコール                                   ５％
硫酸ナトリウム                                         ２％
安息香酸ナトリウム                                     １％
パラベン                                               ０．２％
メチルイソチアゾリンオン・メチルクロロイソチアゾリンオン ０．０１％
青色４０３号                                           ０．００２％
香料                                                   ０．５％
クエン酸                                               ０．５％
精製水                                                 残部
計                                                     １００．０％
【００４４】
（実施例６）
蓋部４２に形成された孔４３が図３に示すような形状である以外は図１に示すような第一の実施形態と同様の口元固化防止治具付き容器を用い、この容器本体内に下記組成のリンスを充填した。このリンスの粘度は約２０００ｍＰａ・ｓであった。
（リンス組成）
ヒドロキシベンゾフェノン                                        ０．１％
ミリスチン酸イソステアリル                                          １％
塩化０−［２−ヒドロキシ−３−（トリメチルアンモニウム）
プロピル］ヒドロキシエチルセルロース
（レオガードＧＰ、ライオン化学株式会社）                                                               １％
塩化ステアリルトリメチルアンモニウム                               １％
ステアリルアルコール                                               ３％
ＰＯＥ（２０Ｅ．Ｏ．）  硬化ヒマシ油                               １％
プロピレングリコール                                               ５％
香料                                                           ０．５％
精製水                                                            残部
計                                                            １００．０％
【００４５】
（実施例７）
蓋部４２に形成された孔４３が図３に示すような形状である以外は図１に示すような第一の実施形態と同様の口元固化防止治具付き容器を用い、この容器本体内に下記組成の浴用剤を充填した。この浴用剤の粘度は約８００ｍＰａ・ｓであった。
（浴用剤組成物）
二酸化チタン                                                            １％
モノラウリン酸ヘキサグリセリル                                          ６％
ソルビトール                                                          ４０％
トレハロース                                                          １０％
硫酸ナトリウム                                                        １１％
炭酸水素ナトリウム                                                    １５％
コメヌカ油                                                              ２％
重質流動パラフィン（５５ｍｍ２／ｓ）                                     ６％
カルボキシメチルセルロースナトリウム（２０ｍＰａ・ｓ）                １．５％
グリチルリチン酸ジカリウム                                           ０．５％
チンピエキス（チンピ抽出液、丸善製薬製）                                ３％
カミツレエキス（カミツレ抽出液ＢＧ、丸善製薬製）                        １％
ユーカリエキス（ファルコレックスユーカリＥ）                          ０．５％
ベントナイト（クニピアＦ、クニミネ工業製）                           ０．５％
リボフラビン（リボフラン、日本ロッシュ製）                           ０．１％
安息香酸ナトリウム                                                      １％
香料                                                                    １％
精製水                                                                  残部
計                                                                  １００．０％
【００４６】
（実施例８）
蓋部４２に形成された孔４３が図３に示すような形状である以外は図１に示すような第一の実施形態と同様の口元固化防止治具付き容器を用い、この容器本体内に下記組成のトイレ用洗剤を充填した。このトイレ用洗剤の粘度は２０００ｍＰａ・ｓ（２５℃）であり、また、ｐＨは７であった。
（トイレ用洗剤組成）
アルキルポリグルコシド                                            １．５％
エタノール                                                        ２％
合成ポリマー                                                      ０．５％
パラトルエンスルホン酸                                            ０．０５％
トリエタノールアミン                                              ０．５％
シリカ                                                          １０％
香料                                                              ０．１％
精製水                                                          バランス
計                                                              １００．０％
【００４７】
（実施例９）
蓋部４２に形成された孔４３が図３に示すような形状である以外は図１に示すような第一の実施形態と同様の口元固化防止治具付き容器を用い、この容器本体内に下記組成のクレンザーを充填した。このクレンザーの粘度は２０００ｍＰａ・ｓであり、ｐＨは８であった。
（クレンザー組成）
炭酸カルシウム              ５０％
炭素数１０〜１４のＬＡＳ      ３％
ＣＤＥ                        ３％
クエン酸                      ３％
香料                          ０．２％
色素                          ０．０００１％
水                      バランス
計                          １００．０％
上記ＬＡＳは直鎖アルキルベンゼンスルホン酸ナトリウム、上記ＣＤＥはやし脂肪酸ジエタノールアミドである。
【図面の簡単な説明】
【００４８】
【図１】本発明の第一の実施形態の口元固化防止治具付き容器の概略構成図。
【図２】図１の口元固化防止治具付き容器をスクイズやポンピングしたときの口元固化防止治具の状態を示す断面図。
【図３】図１の容器に備えられた口元固化防止治具の蓋部の他の例を示す図。
【図４】図１の容器に備えられた口元固化防止治具の蓋部の他の例を示す図。
【図５】図１の容器に備えられた口元固化防止治具の他の例を示す図。
【図６】本発明の第二の実施形態の口元固化防止治具付き容器の吐出ノズルに取り付けられた口元固化防止治具を示す断面図。
【図７】本発明の第三の実施形態の口元固化防止治具付き容器の吐出ノズルに取り付けられた口元固化防止治具を示す断面図。
【図８】本発明の第四の実施形態の口元固化防止治具付き容器の吐出ノズルに取り付けられた口元固化防止治具を示す断面図。
【図９】本発明の第五の実施形態の口元固化防止治具付き容器の吐出ノズルに取り付けられた口元固化防止治具を示す断面図。
【図１０】本発明の第五の実施形態の口元固化防止治具付き容器の吐出ノズルに取り付けられた口元固化防止治具を示す断面図。
【図１１】従来の固化防止構造が設けられたノズルの説明図で、蓋式のノズルの例を示す概略構成図。
【図１２】従来の固化防止構造が設けられたノズルの説明図で、簡易開閉式のノズルの例を示す概略構成図。
【図１３】従来の固化防止構造が設けられたノズルの説明図で、内蔵式のノズルの例を示す概略構成図。
【図１４】従来の固化防止構造が設けられたノズルの説明図で、自閉式のノズルの例を示す概略構成図。
【符号の説明】
【００４９】
１０・・・容器本体、２０・・・吐出ヘッド、２１・・・肩カバー、２３・・・吐出ノズル、２３ａ・・・装着部、３１・・・吐出口、４０，５０，６０，６０ａ，７０，８０・・・口元固化防止治具、４２，５２，６２，７２，８２・・・蓋部、４３，５３，６３・・・孔、４３ａ・・・傾斜面、４５，５５，６５，７５，８５・・・取り付け部、４８，４９・・・弾性復帰手段、θ・・・傾斜角度
【図１】
2006008232.tif 000005
【図２】
2006008232.tif 000006
【図３】
2006008232.tif 000007
【図４】
2006008232.tif 000008
【図５】
2006008232.tif 000009
【図６】
2006008232.tif 000010
【図７】
2006008232.tif 000011
【図８】
2006008232.tif 000012
【図９】
2006008232.tif 000013
【図１０】
2006008232.tif 000014
【図１１】
2006008232.tif 000015
【図１２】
2006008232.tif 000016
【図１３】
2006008232.tif 000017
【図１４】
2006008232.tif 000018